(57)【要約】【課題】記録紙における広告画像のサイズや位置に応じて、原稿画像の印刷料金の割引率を適正に設定する。【解決手段】画像形成装置１０は、原稿画像を読取る画像読取部１１と、原稿画像を記録紙に形成する画像形成部１２と、広告画像を記憶した記憶部３８と、原稿画像が記録紙に形成されたときに余白となる余白領域を判定する余白判定部４５と、余白判定部４５によって判定された余白領域に広告画像を割付ける制御部４１と、制御部４１によって余白領域に広告画像が割付けられた画像を生成する画像処理部４４と、記録紙における広告画像のサイズ又は位置に応じて原稿画像の印刷料金に対する割引率を算出する課金部４６とを備え、制御部４１は、画像処理部４４によって生成された画像を画像形成部１２により記録紙に形成させる。【選択図】図２
2019117986.tif 000002
【特許請求の範囲】
【請求項１】
原稿画像を読取る画像読取部と、
前記原稿画像を記録紙に形成する画像形成部と、
広告画像を記憶した記憶部と、
前記原稿画像が記録紙に形成されたときに余白となる余白領域を判定する余白判定部と、
前記余白判定部によって判定された前記余白領域に前記広告画像を割付ける制御部と、
前記制御部によって前記余白領域に前記広告画像が割付けられた画像を生成する画像処理部と、
前記記録紙における前記広告画像のサイズ又は位置に応じて、前記原稿画像の印刷料金に対する割引率を算出する課金部とを備え、
前記制御部は、前記画像処理部によって生成された画像を前記画像形成部により記録紙に形成させる画像形成装置。
【請求項２】
前記記憶部には、複数の広告画像が記憶されており、
前記制御部は、前記各広告画像のうちから、前記余白判定部によって判定された前記余白領域に収まるサイズの広告画像を選択し、
前記画像処理部は、当該選択された広告画像が前記余白領域に割付けられた画像を生成して、
更に前記制御部は、前記画像処理部によって生成された前記画像を前記画像形成部により記録紙に形成させる請求項１に記載の画像形成装置。
【請求項３】
表示部と、
ユーザーによる操作に応じて指示を受け付ける操作部と、を備え、
前記記憶部には、複数の広告画像が記憶されており、
前記制御部は、前記記憶部に記憶されている前記各広告画像を前記表示部に表示させ、前記操作部の操作により前記表示部に表示されているいずれかの広告画像の選択が受け付けられると、当該選択された広告画像を前記余白領域に割付け、
前記画像処理部は、前記制御部によって前記余白領域に前記広告画像が割付けられた画像を生成し、
更に前記制御部は、前記画像処理部によって生成された前記画像を前記画像形成部により記録紙に形成させる請求項１に記載の画像形成装置。
【請求項４】
表示部と、
ユーザーによる操作に応じて指示を受け付ける操作部と、を備え、
前記制御部は、前記余白判定部によって判定された前記余白領域を前記表示部に表示させ、ユーザーによる前記操作部の操作により前記余白領域が選択されると、当該選択された広告画像を前記余白領域に割付け、
前記画像処理部は、前記制御部によって前記余白領域に前記広告画像が割付けられた画像を生成し、
更に前記制御部は、前記画像処理部によって生成された前記画像を前記画像形成部により記録紙に形成させる請求項１に記載の画像形成装置。
【請求項５】
前記画像処理部は、前記広告画像を前記余白領域に収まる大きさに拡大又は縮小する請求項３又は請求項４に記載の画像形成装置。
【請求項６】
前記制御部は、前記課金部によって算出された前記割引率を前記表示部に表示させる請求項１乃至請求５のいずれか１つに記載の画像形成装置。
【請求項７】
ユーザーによる操作に応じて指示を受け付ける操作部を備え、
前記制御部は、前記操作部の操作により指定された頁の原稿画像において前記余白判定部によって判定された余白領域に前記広告画像を割付け、
前記画像処理部は、前記制御部によって前記余白領域に前記広告画像が割付けられた画像を生成し、
更に前記制御部は、前記画像処理部によって生成された前記画像を前記画像形成部により記録紙に形成させる請求項１に記載の画像形成装置。
【請求項８】
前記制御部は、複数の広告画像を前記記録紙の１つの余白領域に割付け、
前記画像処理部は、前記制御部によって前記余白領域に前記広告画像が割付けられた画像を生成し、
更に前記制御部は、前記画像処理部によって生成された前記画像を前記画像形成部により記録紙に形成させる請求項１に記載の画像形成装置。
【請求項９】
前記制御部は、前記表示部に、前記原稿画像の画像形成位置を記録紙における予め定められた位置に配置することを促すメッセージを表示させ、
前記余白判定部は、前記原稿画像の画像形成位置を記録紙における予め定められた位置に配置する旨の指示を受け付けたとき、当該予め定められた位置に前記原稿画像を配置した場合における前記余白領域を判定し、
前記制御部は、前記広告画像を前記余白領域に割付け、
前記画像処理部は、前記制御部によって前記余白領域に前記広告画像が割付けられた画像を生成し、
更に前記制御部は、前記画像処理部によって生成された前記画像を前記画像形成部により記録紙に形成させる請求項１に記載の画像形成装置。
【発明の詳細な説明】
【技術分野】
【０００１】
本発明は、原稿画像を記録紙に印刷する画像形成装置に関し、特に記録紙の余白領域を利用して広告画像を印刷する技術に関する。
【背景技術】
【０００２】
画像形成装置では、画像読取部により原稿画像を読取り、画像形成部により原稿画像を記録紙に印刷するものがある。また、広告画像を原稿画像と共に記録紙に印刷することもある。
【０００３】
例えば、特許文献１では、縮小レイアウトモードの選択時に、原稿画像と広告画像の組み合わせ処理を行い、原稿画像と広告画像を組み合わせてなる縮小レイアウト画像を記録媒体上に出力している。
【０００４】
また、特許文献２では、画像形成装置を用いて、情報及び広告が掲載されていない原稿を複写する際、予め用意された情報及び広告掲載に関するデータを、任意の手段で画像形成装置内に取得し、複写を行う際に原稿を縮小してできた用紙の余白を利用して、その余白に、取得した情報及び広告掲載に関するデータを印刷している。また、複写後の印刷物に情報及び広告掲載する／しないを選択できるようにしている。
【０００５】
更に、特許文献３では、広告イメージを広告データベースに登録しておき、公金処理システムで発行される領収証の余白に広告イメージを印刷することで、営業店等の宣伝活動を行っている。
【先行技術文献】
【特許文献】
【０００６】
【特許文献１】特開２０００−３５８１５２号公報
【特許文献２】特開２００１−２８５６１６号公報
【特許文献３】特開２００１−３４４５５５号公報
【発明の概要】
【発明が解決しようとする課題】
【０００７】
ところで、上記のように画像形成装置において、広告画像を記録紙に記録する場合は、広告代を原稿画像の印刷料金から割り引いてユーザーに還元するという発想がある。しかしながら、記録紙における広告画像のサイズや位置が異なっても、印刷料金の割引率が同一であるならば、広告主及びユーザーにとって不公平となる。例えば、大きなサイズの広告画像と小さなサイズの広告画像のいずれに対しても同一の割引率となる場合は、不公平である。
【０００８】
本発明は、上記の事情に鑑みなされたものであり、記録紙における広告画像のサイズや位置に応じて、原稿画像の印刷料金の割引率を適正に設定することを目的とする。
【課題を解決するための手段】
【０００９】
本発明の一局面にかかる画像形成装置は、原稿画像を読取る画像読取部と、前記原稿画像を記録紙に形成する画像形成部と、広告画像を記憶した記憶部と、前記原稿画像が記録紙に形成されたときに余白となる余白領域を判定する余白判定部と、前記余白判定部によって判定された前記余白領域に前記広告画像を割付ける制御部と、前記制御部によって前記余白領域に前記広告画像が割付けられた画像を生成する画像処理部と、前記記録紙における前記広告画像のサイズ又は位置に応じて、前記原稿画像の印刷料金に対する割引率を算出する課金部とを備え、前記制御部は、前記画像処理部によって生成された画像を前記画像形成部により記録紙に形成させるものである。
【発明の効果】
【００１０】
本発明によれば、記録紙における広告画像のサイズや位置に応じて割引率を算出するため、原稿画像の印刷料金の割引率を広告画像のサイズや位置に応じて適正に設定することが可能になる。
【図面の簡単な説明】
【００１１】
【図１】本発明の一実施形態にかかる画像形成装置を示す断面図である。
【図２】本実施形態の画像形成装置の主要内部構成を示すブロック図である。
【図３Ａ】原稿画像及び広告画像を記録紙に形成し、原稿画像の印刷料金に対する割引率を求めて、割引料金を算出して徴収するまでの処理手順を示すフローチャートである。
【図３Ｂ】図３Ａに引き続く処理手順を示すフローチャートである。
【図４】表示部に表示された操作画面を示す図である。
【図５】表示部に表示された自動手動選択画面を示す図である。
【図６】（Ａ）は広告画像及び原稿画像が形成されたときの記録紙の余白領域の一例を示す図であり、（Ｂ）は該広告画像を該余白領域に割付けた状態を示す図である。
【図７】（Ａ）は広告画像及び原稿画像が形成されたときの記録紙の余白領域の他の例を示す図であり、（Ｂ）は該広告画像を該余白領域に割付けた状態を示す図である。
【図８】（Ａ）は広告画像及び原稿画像が形成されたときの記録紙の余白領域の別の例を示す図であり、（Ｂ）は該広告画像を該余白領域に割付けた状態を示す図である。
【図９】（Ａ）は広告画像及び記録紙の裏面に生じた余白領域を示す図であり、（Ｂ）は該広告画像を該余白領域に割付けた状態を示す図である。
【図１０】（Ａ）は広告画像及び最終頁の記録紙の裏面に生じた余白領域を示す図であり、（Ｂ）は該広告画像を該余白領域に割付けた状態を示す図である。
【図１１】表示部に表示された広告設定画面の一例を示す図である。
【図１２】（Ａ）は表示部に表示された複数の広告画像及び原稿画像が形成されたときの記録紙の余白領域を示す図であり、（Ｂ）は任意の広告画像を該余白領域に割付けた状態を示す図である。
【図１３】（Ａ）は表示部に表示された複数の広告画像を示す図であり、（Ｂ）は任意の広告画像を原稿画像が形成されたときの記録紙の余白領域に割付けた状態を示す図であり、（Ｃ）は任意の広告画像を記録紙の裏面に生じた余白領域に割付けた状態を示す図である。
【図１４】（Ａ）は２つの広告画像及び原稿画像が形成されたときの記録紙の余白領域の一例を示す図であり、（Ｂ）は２つの広告画像を該余白領域に割付けた状態を示す図である。
【図１５】表示部に表示される表示画面の一例を示す図である。
【図１６】（Ａ）（Ｂ）表示部に表示される表示画面の一例を示す図である。
【発明を実施するための形態】
【００１２】
以下、本発明の一実施形態について図面を参照して説明する。図１は、本発明の画像形成装置の一実施形態を示す断面図である。この画像形成装置１０は、例えば、コピー機能、プリンター機能、スキャナー機能、及びファクシミリ機能のような複数の機能を兼ね備えた複合機である。この画像形成装置１０は、画像読取部１１と、画像形成部１２とを備えている。
【００１３】
画像読取部１１は、原稿の画像を光学的に読み取るスキャナーを有し、このスキャナーの撮像素子から出力されたアナログ信号をデジタル信号に変換して、原稿画像を示す画像データを生成する。
【００１４】
画像形成部１２は、画像読取部１１で生成された画像データ又は外部から受信した画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、中間転写ベルト５に転写する。これにより、カラーのトナー像（画像）が中間転写ベルト５上に形成される。このカラーのトナー像は、中間転写ベルト５と２次転写ローラー６の間のニップ域Ｎにおいて給紙部７から第１搬送路８を通じて搬送されてきた記録紙Ｐに２次転写される。
【００１５】
この後、定着装置１５で記録紙Ｐが加熱及び加圧されて、記録紙Ｐ上のトナー像が熱圧着により定着される。そして、記録紙Ｐの片面印刷が設定されている場合は、記録紙Ｐが排出ローラー対１６を通じて排出トレイ１７に排出される。
【００１６】
また、記録紙Ｐの両面印刷が設定されている場合は、排出ローラー対１６が一旦停止されてから逆回転され、記録紙Ｐが排出ローラー対１６から第２搬送路９へと搬送されて、記録紙Ｐが第１搬送路８のニップ部Ｎに戻され、これにより記録紙Ｐの表裏が反転されて、記録紙Ｐの裏面に画像が記録される。
【００１７】
図２は、画像形成装置１０の主要内部構成を示す機能ブロック図である。図２に示すように画像形成装置１０は、制御ユニット３１、表示部３２、操作部３４、タッチパネル３５、ファクシミリ通信部３７、記憶部３８、画像メモリー３９、画像読取部１１、及び画像形成部１２などを備えている。これらの構成要素は、互いにバスを通じてデータ又は信号の送受信を可能とされている。
【００１８】
表示部３２は、液晶ディスプレイ（ＬＣＤ：Liquid Crystal Display）や有機ＥＬ（ＯＬＥＤ：Organic Light-Emitting Diode）ディスプレイなどから構成される。
【００１９】
操作部３４は、例えば、表示部３２に表示されているＧＵＩにおけるフォーカスを移動させる矢印キー、ＧＵＩに対して確定操作を行う決定キー、スタートキーなどを備えている。
【００２０】
表示部３２の画面には、タッチパネル３５が重ねられている。タッチパネル３５は、所謂抵抗膜方式や静電容量方式などのタッチパネルであって、タッチパネル３５に対するユーザーの指などの接触（タッチ）をその接触位置と共に検知し、表示部３２の画面上のＧＵＩなどに対するユーザーの指示を入力する。従って、タッチパネル３５は、表示部３２の画面に対するユーザー操作が入力される操作部としての役割を果たす。
【００２１】
ファクシミリ通信部３７は、画像データを、ネットワークＮを通じて他の画像形成装置やファクシミリ装置（図示せず）などとの間で送受信する。
【００２２】
記憶部３８は、大容量のＳＳＤ（Solid State Drive）、ＨＤＤ（Hard Disk Drive）などからなり、各種のデータやプログラムを記憶している。
【００２３】
画像メモリー３９は、画像読取部１１により読取られた原稿画像を示す画像データ、外部から受信した画像データを一時的に記憶する。
【００２４】
制御ユニット３１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣである。上記プロセッサーが、上記のＲＯＭ又は記憶部３８に記憶されているプログラムに従って動作することにより、制御ユニット３１は、制御部４１、通信制御部４３、画像処理部４４、余白判定部４５、及び課金部４６として機能する。なお、制御部４１、通信制御部４３、画像処理部４４、余白判定部４５、及び課金部４６は、それぞれハード回路により構成されてもよい。
【００２５】
制御ユニット３１は、表示部３２、操作部３４、タッチパネル３５、ファクシミリ通信部３７、記憶部３８、画像メモリー３９、画像読取部１１、及び画像形成部１２などと接続されている。
【００２６】
制御部４１は、画像形成装置１０の全体的な動作制御を司る。また、制御部４１は、種々の処理を実行する処理部としての役割を果たす。制御部４１は、表示部３２の表示動作を制御する機能を有する。制御部４１は、上記各構成要素の動作制御や、表示部３２、操作部３４、タッチパネル３５、ファクシミリ通信部３７、記憶部３８、画像メモリー３９、画像読取部１１、及び画像形成部１２等の各構成要素との間での信号またはデータの送受信を行う。
【００２７】
通信制御部４３は、ファクシミリ通信部３７の通信動作を制御する機能を有する。
【００２８】
画像処理部４４は、画像メモリー３９内の画像データに対して各種の画像処理を施す。
【００２９】
余白判定部４５は、画像メモリー３９内の画像データによって示される原稿画像が形成されたときの記録紙の余白領域を判定する。例えば、余白判定部４５は、印刷に用いられる記録紙における画像形成可能領域に、印刷対象となる原稿画像を配した場合に、当該原稿画像ではない画像形成可能領域部分を余白領域として判定する。例えば、余白判定部４５は、当該画像形成可能領域部分において最大限に設定可能な矩形領域を余白領域として判定する。
【００３０】
また、余白判定部４５は、操作部３４又はタッチパネルの操作により片面印刷（記録紙の表面のみの印刷）が設定された場合に、記録紙の裏面における上記画像形成可能領域の全てを余白領域と判定する。更に、余白判定部４５は、操作部３４又はタッチパネルの操作により両面印刷（記録紙の表面及び裏面の印刷）が設定された場合に、画像メモリー３９内の画像データによって示される原稿画像の頁数に基づき、最終頁の記録紙の裏面が余白領域であるか否かを判定する。
【００３１】
課金部４６は、原稿画像が記録された記録紙の枚数、モノクロ印刷又はカラー印刷などに基づき原稿画像の印刷に要した印刷料金を算出する。この印刷料金は、ユーザーからコインベンダーなど（図示せず）を通じて徴収される。
【００３２】
尚、操作部３４及びタッチパネル３５が特許請求の範囲における「操作部」に相当する。
【００３３】
このような構成の画像形成装置１０において、例えば、ユーザーが、操作部３４又はタッチパネル３５を操作することによりコピーの実行を指示すると、制御部４１は、画像読取部１１により原稿画像を読取らせて、原稿画像を画像メモリー３９に一旦記憶させ、この原稿画像を画像メモリー３９から画像形成部１２に入力させて、画像形成部１２により原稿画像を記録紙に印刷させる。また、課金部４６は、原稿画像の印刷に要した印刷料金を算出する。
【００３４】
また、本実施形態では、複数種の広告画像が記憶部３８に予め記憶されている。ユーザーは、コピーの実行に先立ち、タッチパネル３５を操作することにより広告画像を原稿画像と共に記録紙に印刷するか否かを選択する指示を入力する。そして、ユーザーにより広告画像を原稿画像と共に記録紙に印刷することを選択する指示が入力されると、余白判定部４５が記録紙における余白領域を判定する。制御部４１は、記憶部３８内のいずれかの広告画像を当該余白領域に割付ける。画像処理部４４は、当該広告画像が当該余白領域に割付けられた画像を生成する。制御部４１は、画像形成部１２により、原稿画像の余白領域に広告画像が割り付けられた当該画像を記録紙に形成させる。
【００３５】
更に、課金部４６は、原稿画像の印刷に要した印刷料金を算出すると共に、記録紙における広告画像のサイズ又は位置に応じて原稿画像の印刷料金に対する割引率を求めて、この割引率で割り引かれた割引料金を算出する。この割引料金はユーザーからコインベンダーなどを通じて徴収される。従って、ユーザーは、タッチパネル３５を操作して、広告画像を原稿画像と共に印刷することを選択すると、印刷料金よりも安い割引料金を支払うことで原稿画像を記録紙に記録させることができる。
【００３６】
次に、そのような広告画像を原稿画像と共に印刷することを選択し、広告画像を原稿画像が形成されたときの余白領域に割付けて、原稿画像及び広告画像を記録紙に形成し、原稿画像の印刷料金に対する割引率を求めて、割引料金を算出して徴収するまでの処理手順を、図３Ａ、図３Ｂに示すフローチャートなどを参照して説明する。
【００３７】
まず、ユーザーは、原稿を画像読取部１１にセットし、操作部３４を操作して原稿の読み取りを指示する。制御部４１は、その原稿の読み取りの指示に応答して画像読取部１１を起動させる。画像読取部１１は、原稿を読み取り、原稿画像を示す画像データを生成する。この画像データ、つまり原稿画像は、画像メモリー３９に記憶される（ステップＳ１０１）。また、画像読取部１１により複数の原稿が順次読取られた場合は、各原稿画像が画像メモリー３９に記憶される。
【００３８】
そして、制御部４１は、図４に示すような操作画面Ｇ１を表示部３２に表示させる（ステップＳ１０２）。この図４に示す操作画面Ｇ１には、通常コピーモード及び広告コピーモードに対応するそれぞれのキーＫ１１、Ｋ１２が表示されている。例えば、ユーザーが、通常コピーモードに対応するキーＫ１１にタッチ操作すると、制御部４１は、タッチパネル３５を通じて、キーＫ１１に対するタッチ操作を検出し（ステップＳ１０３「通常」）、通常コピーモードの処理を実行する。この通常コピーモードの場合、制御部４１による制御の下、画像形成部１２は、原稿画像を画像メモリー３９から入力して、原稿画像のみを記録紙に記録する（ステップＳ１０４）。従って、課金部４６は、割引を行うことなく、原稿画像の印刷に要した印刷料金を算出する（ステップＳ１０５）。当該印刷料金は、コインベンダーなどを通じて徴収される。
【００３９】
尚、複数の原稿画像が画像メモリー３９に記憶されている場合は、原稿画像が記録紙に記録される毎に、各ステップＳ１０４、Ｓ１０５の処理が行われる。
【００４０】
また、ユーザーが、広告コピーモードに対応するキーＫ１２にタッチ操作すると、制御部４１は、タッチパネル３５を通じて、キーＫ１２に対するタッチ操作を検出し（ステップＳ１０３「広告」）、広告コピーモードの処理を実行する。この広告コピーモードの場合、まず余白判定部４５は、画像メモリー３９に記憶されている原稿画像が形成されたときの記録紙の余白領域を判定する（ステップＳ１０６）。尚、余白判定部４５は、複数の原稿画像が画像メモリー３９に記憶されている場合は、各原稿画像が記録される記録紙毎に、原稿画像が形成されたときの記録紙の余白領域を判定する。
【００４１】
そして、制御部４１は、図５に示すような自動手動選択画面Ｇ２を表示部３２に表示させる（ステップＳ１０７）。この図５に示す自動手動選択画面Ｇ２には、広告の自動設定及び手動設定に対応するそれぞれのキーＫ２１、Ｋ２２、及び広告画像と共に印刷される原稿画像の頁を指定する頁指定ボックスＢ２１が表示されている。頁指定ボックスＢ２１は、全ての頁、任意の頁、又は任意の頁範囲を選択するために操作されるものであり、全ての頁がデフォルト設定となっている。
【００４２】
例えば、ユーザーが、広告の自動設定に対応するキーＫ２１にタッチ操作したものとすると、制御部４１は、タッチパネル３５を通じて、キーＫ２１に対するタッチ操作を検出し（ステップＳ１０８「自動」）、広告の自動設定の処理を開始する。この場合、制御部４１は、余白判定部４５により判定された原稿画像が形成されたときの記録紙の余白領域に収まるサイズの広告画像を記憶部３８に記憶されている複数の広告画像のうちから選択し（ステップＳ１０９）、この選択した広告画像を記録紙の余白領域に割付ける（ステップＳ１１０）。また、余白領域に収まるサイズの広告画像が複数ある場合、制御部４１は、更に該各広告画像のうちから最大サイズの広告画像を選択し、又は、該各広告画像のいずれか１つをランダムに選択して、この選択した広告画像を記録紙の余白領域に割付ける。画像処理部４４は、記録紙の余白領域に対する広告画像の割付けに基づき、この広告画像を該余白領域に割付けた画像を生成して、当該画像を画像メモリー３９に記憶させる。
【００４３】
例えば、図６（Ａ）に示すように原稿画像Ｍ１が形成されたときの記録紙Ｐに余白領域Ｗ１が生じるとすると、制御部４１は、余白領域Ｗ１に収まるサイズ（矩形とされた広告画像であって、その縦寸法が、矩形の余白領域を構成する縦寸法以下であり、かつ、その横寸法が、余白領域を構成する横寸法以下となる広告画像）の広告画像Ｖ１を記憶部３８に記憶されている複数の広告画像のうちから選択し（ステップＳ１０９）、図６（Ｂ）に示すようにその選択した広告画像Ｖ１を記録紙Ｐの余白領域Ｗ１に割付ける（ステップＳ１１０）。画像処理部４４は、記録紙Ｐの余白領域Ｗ１に対する広告画像Ｖ１の割付けに応じて、原稿画像Ｍ１及び広告画像Ｖ１を合成してなる画像（以下、合成画像という）Ｃ１を生成して、この合成画像Ｃ１を画像メモリー３９に記憶させる。
【００４４】
あるいは、図７（Ａ）に示すように原稿画像Ｍ２が形成されたときの記録紙Ｐに余白領域Ｗ２が生じるとすると、制御部４１は、余白領域Ｗ２に収まるサイズの広告画像Ｖ２を記憶部３８に記憶されている複数の広告画像のうちから選択し（ステップＳ１０９）、図７（Ｂ）に示すようにその広告画像Ｖ２を記録紙Ｐの余白領域Ｗ２に割付ける（ステップＳ１１０）。画像処理部４４は、記録紙Ｐの余白領域Ｗ２に対する広告画像Ｖ２の割付けに基づき、原稿画像Ｍ２及び広告画像Ｖ２を合成してなる合成画像Ｃ２を生成して、この合成画像Ｃ２を画像メモリー３９に記憶させる。
【００４５】
また、図８（Ａ）に示すように原稿画像Ｍ３が形成されたときの記録紙Ｐに余白領域Ｗ３が生じるとすると、制御部４１は、余白領域Ｗ３に収まるサイズの広告画像Ｖ３を記憶部３８に記憶されている複数の広告画像のうちから選択し（ステップＳ１０９）、図８（Ｂ）に示すようにその広告画像Ｖ３を記録紙Ｐの余白領域Ｗ３に割付ける（ステップＳ１１０）。画像処理部４４は、記録紙Ｐの余白領域Ｗ３に対する広告画像Ｖ３の割付けに基づき、原稿画像Ｍ３及び広告画像Ｖ３を合成してなる合成画像Ｃ３を生成して、この合成画像Ｃ３を画像メモリー３９に記憶させる。
【００４６】
あるいは、記録紙Ｐの片面印刷が設定されている場合は、図９（Ａ）に示すように原稿画像Ｍ４が記録紙Ｐの表面ＰＡに形成されたときに該記録紙Ｐの裏面ＰＢに余白領域Ｗ４が生じるので、余白判定部４５は、記録紙Ｐの当該裏面ＰＢにおける画像形成可能領域の全域を余白領域Ｗ４として判定する。制御部４１は、余白領域Ｗ４に収まるサイズの広告画像Ｖ４を記憶部３８に記憶されている複数の広告画像のうちから選択し（ステップＳ１０９）、図９（Ｂ）に示すようにその広告画像Ｖ４を記録紙Ｐの裏面ＰＢの余白領域Ｗ４に割付ける（ステップＳ１１０）。画像処理部４４は、記録紙Ｐの裏面ＰＢの余白領域Ｗ４に対する広告画像Ｖ４の割付けに基づき、この広告画像Ｖ４を画像メモリー３９に記憶させる。
【００４７】
また、記録紙Ｐの両面印刷が設定されていて、図１０（Ａ）に示すように最終頁の記録紙ＰＥの裏面ＰＢに余白領域Ｗ４が生じる場合、余白判定部４５は、記録紙ＰＥの当該裏面ＰＢにおける画像形成可能領域の全域を余白領域Ｗ４として判定する。制御部４１は、余白領域Ｗ４に収まるサイズの広告画像Ｖ４を記憶部３８に記憶されている複数の広告画像のうちから選択し（ステップＳ１０９）、図１０（Ｂ）に示すようにその広告画像Ｖ４を最終頁の記録紙ＰＥの裏面ＰＢの余白領域Ｗ４に割付ける（ステップＳ１１０）。画像処理部４４は、最終頁の記録紙ＰＥの裏面ＰＢの余白領域Ｗ４に対する広告画像Ｖ４の割付けに基づき、この広告画像Ｖ４を画像メモリー３９に記憶させる。
【００４８】
そして、制御部４１は、画像形成部１２を制御して、画像形成部１２により片面印刷又は両面印刷を行わせつつ画像メモリー３９に記憶されている原稿画像及び記録紙の余白領域に割付けられた広告画像を記録紙に記録させる（ステップＳ１１１）。
【００４９】
これにより、例えば図６（Ｂ）に示すように原稿画像Ｍ１及び広告画像Ｖ１を合成してなる合成画像Ｃ１が記録紙Ｐに形成される。また、図７（Ｂ）に示すように原稿画像Ｍ２及び広告画像Ｖ２を合成してなる合成画像Ｃ２が記録紙Ｐに形成される。又は、図８（Ｂ）に示すように原稿画像Ｍ３及び広告画像Ｖ３を合成してなる合成画像Ｃ３が記録紙Ｐに形成される。或いは、図９（Ｂ）に示すように原稿画像Ｍ３が記録紙Ｐの表面ＰＡに形成されると共に広告画像Ｖ３が該記録紙Ｐの裏面ＰＢに形成され、又は、図１０（Ｂ）に示すように広告画像Ｖ３が最終頁の記録紙ＰＥの裏面ＰＢに形成される。
【００５０】
課金部４６は、記録紙における広告画像のサイズ又は位置に応じて、原稿画像の印刷料金に対する割引率を算出する（ステップＳ１１２）。ここでは、課金部４６は、まず原稿画像のみを記録紙に記録させたときの本来の印刷料金を算出し、この本来の印刷料金を、上記算出した割引率で割り引いて、割引料金を算出する。（ステップＳ１１３）。例えば、課金部４６は、当該割引率として、(i)広告画像のサイズが大きいほど大きな割引率を設定し、(ii)広告画像の位置が記録紙の上端部に近くになるほど大きな割引率を設定し、又は(iii)記録紙の表面を裏面よりも大きな割引率に設定する。当該算出された割引料金は、コインベンダーなどを通じて徴収される。
【００５１】
尚、複数の原稿画像が印刷対象として画像メモリー３９に記憶されている場合は、各原稿画像が記録されるそれぞれの記録紙毎に、各ステップＳ１０９〜Ｓ１１３の処理が行われて、記録紙毎に、印刷料金が算出されると共に、広告画像のサイズ又は位置に応じた割引率が算出されて割引料金が算出される。
【００５２】
また、制御部４１は、１枚の記録紙に複数の余白領域が存在する場合、各余白領域にそれぞれの広告画像を割付ける。この場合、課金部４６は、各広告画像のそれぞれについて、広告画像のサイズ又は位置に応じた割引率をそれぞれに算出し、全ての割引率を合算した割引率を適用して、割引料金を算出する。
【００５３】
また、図５に示す自動手動選択画面Ｇ２における頁指定ボックスＢ２１において、デフォルトの全ての頁が選択されず、任意の頁又は任意の頁範囲が選択された場合は、制御部４１による制御の下、任意の頁又は任意の頁範囲の原稿画像のみについて、各ステップＳ１０９〜Ｓ１１３の処理が行われて、原稿画像及び広告画像が記録紙に記録され、原稿画像の印刷料金が算出されると共に広告画像のサイズ又は位置に基づく割引率が算出されて、割引料金が算出され、また他の原稿画像については、原稿画像のみが記録紙に記録されて、本来の印刷料金が算出される。任意の頁又は任意の頁範囲の原稿画像の割引料金と他の頁の原稿画像の印刷料金の合計は、コインベンダーなどを通じて徴収される。
【００５４】
次に、ユーザーが、図５に示す自動手動選択画面Ｇ２における広告の手動設定に対応するキーＫ２２にタッチ操作したとすると、制御部４１は、タッチパネル３５を通じて、キーＫ２２に対するタッチ操作を検出し（ステップＳ１０８「手動」）、広告の手動設定の処理を開始する。そして、制御部４１は図１１に示すような広告設定画面Ｇ３を表示部３２に表示させる（ステップＳ１１４）。この図１１に示す広告設定画面Ｇ３には、広告サイズの維持及び広告サイズの拡大縮小に対応するそれぞれのキーＫ３１、Ｋ３２、及び広告画像と共に印刷される原稿画像の頁を指定する頁指定ボックスＢ３１が表示されている。頁指定ボックスＢ３１は、全ての頁、任意の頁、又は任意の頁範囲を選択するために操作されるものであり、全ての頁がデフォルトとなっている。
【００５５】
例えば、ユーザーが、広告サイズの維持に対応するキーＫ３１にタッチ操作したとすると、制御部４１は、タッチパネル３５を通じて、キーＫ３１に対するタッチ操作を検出し（ステップＳ１１５「維持」）、広告サイズの維持のための処理を実行する。例えば、制御部４１は、余白判定部４５により判定された記録紙の余白領域に収まるサイズの広告画像を記憶部３８に記憶されている複数の広告画像のうちから抽出し（ステップＳ１１６）、その記録紙に記録される原稿画像、記録紙の余白領域、及びその抽出した広告画像を表示部３２に表示させる（ステップＳ１１７）。
【００５６】
例えば、制御部４１は、図１２（Ａ）に示すように原稿画像Ｍ５、記録紙Ｐの余白領域Ｗ１及び余白領域Ｗ１に収まるサイズの２つの広告画像Ｖ５１、Ｖ５２を表示部３２に表示させる（ステップＳ１１７）。このとき、ユーザーが広告画像Ｖ５１にタッチ操作したとすると、制御部４１は、タッチパネル３５を通じて、広告画像Ｖ５１に対するタッチ操作を検出し、広告画像Ｖ５１を選択して（ステップＳ１１８）、図１２（Ｂ）に示すようにその選択した広告画像Ｖ５１を余白領域Ｗ１に割付ける（ステップＳ１１９）。画像処理部４４は、記録紙Ｐの余白領域Ｗ１に対する広告画像Ｖ５１の割付けに基づき、原稿画像Ｍ５及び広告画像Ｖ５１を合成してなる合成画像Ｃ５１を生成して、この合成画像Ｃ５１を画像メモリー３９に記憶させる。
【００５７】
また、記録紙Ｐの片面印刷が設定されている場合は、原稿画像が記録紙Ｐの表面に形成されたときに該記録紙Ｐの裏面に余白領域が生じ、余白判定部４５により当該余白領域が判定されるため、制御部４１は、タッチパネル３５のタッチ操作により選択された広告画像を記録紙Ｐの裏面の余白領域に割付けて、この広告画像を画像メモリー３９に記憶させる。あるいは、記録紙Ｐの両面印刷が設定されていて、最終頁の記録紙ＰＥの裏面に余白領域が生じる場合は、制御部４１は、タッチパネル３５のタッチ操作により選択された広告画像を最終頁の記録紙ＰＥの裏面の余白領域に割付けて、この広告画像を画像メモリー３９に記憶させる。
【００５８】
そして、制御部４１は、画像形成部１２を制御して、画像形成部１２により片面印刷又は両面印刷を行わせつつ画像メモリー３９に記憶されている原稿画像及び記録紙の余白領域に割付けられた広告画像を記録紙に記録させる（ステップＳ１２０）。これにより、図１２（Ｂ）に示すように原稿画像Ｍ５及び広告画像Ｖ５１を合成してなる合成画像Ｃ５１が記録紙Ｐに形成され、または、原稿画像が記録紙Ｐの表面に形成されると共に広告画像が該記録紙Ｐの裏面に形成される。
【００５９】
課金部４６は、記録紙における広告画像のサイズ又は位置に応じて、原稿画像の印刷料金に対する割引率を算出する（ステップＳ１２１）。更に課金部４６は、原稿画像を記録紙に記録させたときの本来の印刷料金を算出して、この本来の印刷料金を、当該算出した割引率で割り引いた割引料金を算出する（ステップＳ１２２）。この算出された割引料金は、コインベンダーなどを通じて徴収される。
【００６０】
尚、複数の原稿画像が画像メモリー３９に記憶されている場合は、原稿画像が記録される記録紙毎に、各ステップＳ１１６〜Ｓ１２２の処理が行われて、記録紙毎の割引料金が算出される。全ての記録紙に対する割引料金の合計がコインベンダーなどを通じて徴収される。
【００６１】
また、制御部４１は、１枚の記録紙に複数の余白領域が存在する場合、各余白領域にそれぞれの広告画像を割付ける。この場合、課金部４６は、各広告画像のそれぞれについて、広告画像のサイズ又は位置に応じた割引率をそれぞれに算出し、全ての割引率を合算した割引率を適用して、割引料金を算出する。
【００６２】
また、図１１に示す広告設定画面Ｇ３における頁指定ボックスＢ３１において、デフォルトの全ての頁が選択されず、任意の頁又は任意の頁範囲が選択された場合は、制御部４１による制御の下、任意の頁又は任意の頁範囲の原稿画像のみについて、各ステップＳ１１６〜Ｓ１２２の処理が行われて、原稿画像及び広告画像が記録紙に記録され、原稿画像の印刷料金が算出されると共に広告画像のサイズ又は位置に基づく割引率が算出されて割引料金が算出され、他の原稿画像については、原稿画像のみが記録紙に記録されて、本来の印刷料金が算出される。任意の頁又は任意の頁範囲の原稿画像の割引料金と他の原稿画像の印刷料金の合計は、コインベンダーなどを通じて徴収される。
【００６３】
次に、ユーザーが、図１１に示す広告設定画面Ｇ３における広告サイズの拡大縮小に対応するキーＫ３２にタッチ操作したとすると、制御部４１は、タッチパネル３５を通じて、キーＫ３２に対するタッチ操作を検出し（ステップＳ１１４「拡大縮小」）、広告サイズの拡大縮小のための処理を開始する。この場合、制御部４１は、記憶部３８に記憶されている全ての広告画像を表示部３２に表示させる（ステップＳ１２３）。
【００６４】
例えば、図１３（Ａ）に示すように複数の広告画像Ｖ６１、Ｖ６２、Ｖ６３…が表示部３２に表示される。また、表示部３２の画面の側端には、スクロールバーＳＢが表示され、タッチパネル３５を介したスクロールバーＳＢの操作により制御部４１が全ての広告画像を上下方向に移動させて表示させる。
【００６５】
ここで、ユーザーが広告画像Ｖ６１にタッチ操作したものとすると、制御部４１は、タッチパネル３５を通じて、広告画像Ｖ６１に対するタッチ操作を検出し、この広告画像Ｖ６１を選択して（ステップＳ１２４）、図１３（Ｂ）に示すようにその広告画像Ｖ６１を原稿画像Ｍ６１が形成されたときの記録紙Ｐの余白領域Ｗ６１に割付ける（ステップＳ１２５）。そして、画像処理部４４は、記録紙Ｐの余白領域Ｗ６１に対する広告画像Ｖ２の割付けに基づき、広告画像Ｖ６１が記録紙Ｐの余白領域Ｗ６１に収まりかつ最大サイズとなるように該広告画像Ｖ６１を拡大縮小処理して、原稿画像Ｍ６１及びその拡大縮小した広告画像Ｖ６１を合成してなる合成画像Ｃ６１を生成し、この合成画像Ｃ６１を画像メモリー３９に記憶させる（ステップＳ１２６）。
【００６６】
あるいは、記録紙Ｐの片面印刷が設定されている場合、制御部４１は、タッチパネル３５を通じて、広告画像Ｖ６２に対するタッチ操作を検出すると、この広告画像Ｖ６２を選択して（ステップＳ１２４）、図１３（Ｃ）に示すようにその広告画像Ｖ６２を記録紙Ｐの裏面ＰＢの余白領域Ｗ６２に割付ける（ステップＳ１２５）。そして、画像処理部４４は、記録紙Ｐの裏面ＰＢの余白領域Ｗ６２に対する広告画像Ｖ６２の割付けに基づき、広告画像Ｖ６２が記録紙Ｐの裏面ＰＢの余白領域Ｗ６２に収まりかつ最大サイズとなるように該広告画像Ｖ６２を拡大縮小して、この拡大縮小した広告画像Ｖ６２を画像メモリー３９に記憶させる（ステップＳ１２６）。
【００６７】
また、記録紙Ｐの両面印刷が設定されていて、最終頁の記録紙の裏面に余白領域が生じる場合、制御部４１は、タッチパネル３５のタッチ操作により広告画像が選択されると（ステップＳ１２４）、この選択された広告画像を最終頁の記録紙Ｐの裏面の余白領域に割付ける（ステップＳ１２５）。画像処理部４４は、広告画像が最終頁の記録紙Ｐの裏面の余白領域に収まりかつ最大サイズとなるように該広告画像を拡大縮小して、この拡大縮小した広告画像を画像メモリー３９に記憶させる（ステップＳ１２６）。
【００６８】
そして、制御部４１は、画像形成部１２を制御して、画像形成部１２により片面印刷又は両面印刷を行わせつつ、画像メモリー３９に記憶されている原稿画像及び記録紙の余白領域に割付けられた広告画像を記録紙に記録させる（ステップＳ１２７）。これにより、例えば図１３（Ｂ）に示すように原稿画像Ｍ６１及びその拡大縮小された広告画像Ｖ６１を合成してなる合成画像Ｃ６１が記録紙Ｐに形成され、または、図１３（Ｃ）に示すように原稿画像Ｍ６２が記録紙Ｐの表面ＰＡに形成されると共にその拡大縮小された広告画像Ｖ６２が記録紙Ｐの裏面ＰＢに形成され、或いは、更にその拡大縮小された広告画像が最終頁の記録紙ＰＥの裏面に形成される。
【００６９】
課金部４６は、記録紙における広告画像のサイズ又は位置に基づき、原稿画像の印刷料金に対する割引率を求め（ステップＳ１２８）、原稿画像を記録紙に記録させたときの本来の印刷料金を算出して、この本来の印刷料金をその求めた割引率で割り引いた割引料金を算出する（ステップＳ１２９）。この割引料金は、コインベンダーなどを通じて徴収される。
【００７０】
尚、複数の原稿画像が画像メモリー３９に記憶されている場合は、原稿画像別に、各ステップＳ１２３〜Ｓ１２９の処理が行われて、原稿画像及び広告画像が記録紙に記録され、原稿画像の印刷料金が算出されると共に広告画像のサイズ又は位置に基づく割引率が算出されて、割引料金が算出され、全ての原稿画像の割引料金の合計がコインベンダーなどを通じて徴収される。
【００７１】
また、制御部４１は、１枚の記録紙に複数の余白領域が存在する場合、各余白領域にそれぞれの広告画像を割付ける。この場合、課金部４６は、各広告画像のそれぞれについて、広告画像のサイズ又は位置に応じた割引率をそれぞれに算出し、全ての割引率を合算した割引率を適用して、割引料金を算出する。
【００７２】
また、図１１に示す広告設定画面Ｇ３における頁指定ボックスＢ３１において、デフォルトの全ての頁が選択されず、任意の頁又は任意の頁範囲が選択された場合は、任意の頁又は任意の頁範囲の原稿画像のみについて、各ステップＳ１２３〜Ｓ１２９の処理が行われて、原稿画像及び広告画像が記録紙に記録され、原稿画像の印刷料金が算出されると共に広告画像のサイズ又は位置に基づく割引率が算出されて割引料金が算出され、また他の原稿画像については、原稿画像のみが記録紙に記録されて、本来の印刷料金が算出さる。任意の頁又は任意の頁範囲の原稿画像の割引料金と他の原稿画像の印刷料金の合計は、コインベンダーなどを通じて徴収される。
【００７３】
このように本実施形態では、広告画像が余白領域に割付けられて、原稿画像及び広告画像が記録紙に形成されると、記録紙における広告画像のサイズ又は位置に基づき原稿画像の印刷料金に対する割引率が算出され、この割引率で割り引かれた割引料金が算出され、この割引料金がユーザーからコインベンダーなどを通じて徴収されるので、ユーザーは、印刷料金よりも安い割引料金を支払うことで原稿画像を記録紙に記録することができる。また、記録紙における広告画像のサイズや位置に応じて、割引料金を適正に設定することができる。
【００７４】
なお、上記実施形態では、図１２（Ａ）、（Ｂ）に示すようにユーザーが表示部３２の画面上で任意の広告画像を選択すると、この任意の広告画像が余白領域に割付けられるが、制御部４１は、ユーザーによる任意の余白領域に対するタッチ操作に基づき、この任意の余白領域を選択して、広告画像をその任意の余白領域のみに割付けて、画像形成部１２により原稿画像及び広告画像を記録紙に形成可能になるようにしてもよい。
【００７５】
或いは、ユーザーが任意の広告画像に対して任意の余白領域までのドラッグアンドドロップ操作を行ったときに、制御部４１は、その任意の広告画像をその任意の余白領域に割付けて、画像形成部１２により原稿画像及び広告画像を記録紙に形成が可能になるようにしてもよい。
【００７６】
また、制御部４１は、原稿画像及び広告画像を印刷させる前に、制御部４１を通じて、課金部４６により算出された印刷料金及び割引料金を表示部３２に表示させ、この後にユーザーによるスタートキーの操作に応答して、画像形成部１２により原稿画像及び広告画像を記録紙に形成させて、課金部４６による割引料金の徴収を行わせてもよい。この場合は、ユーザーは、印刷料金及び割引料金を比較した上で、原稿画像及び広告画像を印刷させることができる。
【００７７】
また、上記実施形態では、１つの余白領域に１つの広告画像を割り付けているが、制御部４１は、図１４（Ａ）、（Ｂ）に示すように記録用紙Ｐの１つの余白領域Ｗ３に複数の広告画像Ｖ７１、Ｖ７２を割付けてもよい。
【００７８】
上記実施形態の更なる変形例を説明する。例えば、制御部４１が、表示部３２に、記録紙Ｐにおける原稿画像の画像形成位置を予め定められた位置、例えば、記録紙の上端部に配置することを促すメッセージを表示させる。例えば、図１５に示すように、記録紙Ｐの画像形成可能領域ｉｍｐにおける中央部分に、この画像形成可能領域ｉｍｐの面積に比して小さな面積からなる原稿画像Ｍ７０が配置されて印刷対象とされる場合がある。制御部４１は、当該原稿が印刷対象として画像読取部１１により読み取られたときに、表示部３２に、画像形成可能領域ｉｍｐにおける原稿画像Ｍ７０の画像形成位置を示すプレビュー画像を表示させる。更に、制御部４１は、表示部３２に、記録紙Ｐにおける原稿画像の画像形成位置を、記録紙Ｐの上端部（予め定められた位置の例）に配置することを促すメッセージＭｅを表示させる。
【００７９】
ここで、ユーザーが表示部３２の表示画面（図１５）におけるレイアウト変更ボタンＢ３１をタッチ操作し、タッチパネル３５を介して、制御部４１にレイアウト変更指示（原稿画像Ｍ７０の画像形成位置を記録紙Ｐにおける上端部位置に配置する旨の指示）が受け付けられると、制御部４１は、記録紙Ｐにおける上端部位置に原稿画像Ｍ７０を配置し、余白判定部４５は、このように記録紙Ｐにおける上端部位置に原稿画像Ｍ７０を配置した場合における余白領域を判定する。制御部４１は、図１６（Ａ）に示すように、記録紙Ｐにおける上端部位置に原稿画像Ｍ７０を配置した状態を表示部３２に表示させる。
【００８０】
続いて、制御部４１は、広告画像Ｖ８１を余白領域Ｗ５０に割付ける。画像処理部４４は、制御部４１によって余白領域Ｗ５０に広告画像Ｖ８１が割付けられた合成画像を生成する。制御部４１は、図１６（Ｂ）に示すように、余白領域Ｗ５０に広告画像Ｖ８１が割付けられた状態を表示部３２に表示させる。
【００８１】
ここで、ユーザーが表示部３２の表示画面におけるプリントボタンＢ３２をタッチ操作し、タッチパネル３５を介して、制御部４１にプリント指示が受け付けられると、制御部４１は、上記合成画像を画像形成部１２により記録紙Ｐに形成させる。この場合も、課金部４６は、上記と同様にして、記録紙Ｐにおける広告画像Ｖ８１のサイズ又は位置に応じて、原稿画像Ｍ７０の印刷料金に対する割引率を算出して、割引後の割引料金を算出する。この割引料金は、コインベンダーなどを通じてユーザーから徴収される。
【００８２】
これによれば、原稿画像に付いての画像形成に支障を与えることなく、記録紙Ｐの画像形成可能領域に広告画像を配置可能な余白領域を大きく確保することが可能になる。
【００８３】
また、図１乃至図１６を用いて説明した上記実施形態の構成及び処理は、本発明の一例に過ぎず、本発明を当該構成及び処理に限定する趣旨ではない。
【符号の説明】
【００８４】
１０      画像形成装置
１１      画像読取部
１２      画像形成部
３１      制御ユニット
３２      表示部
３４      操作部
３５      タッチパネル
３７      ファクシミリ通信部
３８      記憶部
３９      画像メモリー
４１      制御部
４３      通信制御部
４４      画像処理部
４５      余白判定部
４６      課金部
【図１】
2019117986.tif 000003
【図２】
2019117986.tif 000004
【図３Ａ】
2019117986.tif 000005
【図３Ｂ】
2019117986.tif 000006
【図４】
2019117986.tif 000007
【図５】
2019117986.tif 000008
【図６】
2019117986.tif 000009
【図７】
2019117986.tif 000010
【図８】
2019117986.tif 000011
【図９】
2019117986.tif 000012
【図１０】
2019117986.tif 000013
【図１１】
2019117986.tif 000014
【図１２】
2019117986.tif 000015
【図１３】
2019117986.tif 000016
【図１４】
2019117986.tif 000017
【図１５】
2019117986.tif 000018
【図１６】
2019117986.tif 000019